(57)【要約】【課題】コインホッパのコイン出口を塞がれたことを早期に検知することにより、不正を防止することを目的とする。【解決手段】コインを１個ずつ区分けし、かつ、係止する突起を有する回転ディスクと、前記回転ディスクを回転駆動するモータと、前記回転ディスクからコインを受け取るナイフと、前記ナイフで受け取ったコインを誘導するコイン通路と、このコイン通路に配置したコインセンサと、コインセンサからの信号が所定時間継続したときに異常信号を出力する判別回路とにより構成したものである。【選択図】　　　　図２
2004133810.tif 000002
【特許請求の範囲】
【請求項１】
コインを１個ずつ区分けし、かつ、係止ピンを有する回転ディスクと、
前記回転ディスクを回転駆動するモータと、
前記回転ディスクからコインを受け取るナイフと、
前記ナイフで受け取ったコインを誘導するコイン通路と、
このコイン通路に配置したコインセンサと、
コインセンサからの信号が所定時間継続したときに異常信号を出力する判別回路と、
を有することを特徴とするコインホッパ。
【請求項２】
判別回路から異常信号を受けてモータの駆動を停止する制御回路を有することを特徴とする請求項１のコインホッパ。
【発明の詳細な説明】
【０００１】
【発明が属する技術分野】
本発明は、コインを１個ずつ区分けして払い出すコインホッパに関する。
なお、本明細書で使用する「コイン」は、通貨であるコインの他、ゲーム機のメダルやトークン等の代用貨幣または類似のものをも包含する。
【０００２】
【従来の技術】
コインホッパは、例えばゲーム機に内蔵して使用される。
すなわち、図４において５０はゲーム機である。
５１は内蔵されたコインホッパである。
５２はコインの払い出し口である。
５３はコイン投入口である。
コインホッパ５１は例えば米国特許第４５８９４３３号に開示されるものと同様のものである。
【０００３】
その概要を、図５を参照して説明する。
水平配置されるベース６１に約６０度の角度で取り付けられたほぼ円板形のホッパベース６２を有する。
ホッパベース６２の裏面側にはモーター６３が固定されている。
ホッパベース６２の表側には回転ディスク６４が配置されている。
【０００４】
回転ディスク６４は、前記モーター６３から図示していない減速機を介して回転駆動される。
回転ディスク６４の周縁部は段差６５を形成してリング状のコイン載置面６６を形成してある。
コイン載置面６６には所定間隔で係止ピン６７が突設してある。
６８は回転ディスク６４の外周を囲うようにホッパベース６２に固定したコイン保留ボウルである。
【０００５】
６９は受け取りナイフであって、基部をホッパベース６２に固定してある。
ナイフ６９の先端部は、段差６５に近接して配置してある。
７０はコインのカウンタであり、ホッパベース６２に固定した固定軸７１と、固定軸７１に中間を揺動自在に取り付けたレバー７２と、ナイフ６９に相対してレバー７２の先端部に取り付けたローラ７３と、レバー７２の所定位置までの回動を検知するカウントセンサ（図示せず）とよりなっている前記ナイフ６９の基部にはガイド板７４が被せてある。
【０００６】
レバー７２は、図示しないスプリングにより反時計回り方向に付勢されている。ホッパベース６２と、ガイド板７４と、ナイフ６９基部上面とでコイン通路７５を構成している。
コイン通路７５の端面がコイン出口７６になっている。
【０００７】
次にゲーム機５０におけるコインの流れを説明する。
プレイヤーは、コイン投入口５３にコインを投入してゲームを行う。
投入されたコインは、図示しないダクトにより案内されてコインホッパ５１のコイン保留ボウル６８に入る。
プレイにより当選すると、ゲーム機５０の制御回路はコインの払い出し信号を出力する。
【０００８】
ゲーム機５０の制御回路からコインの払い出し信号を受けるとモーター６３が回転される。
モーター６３の回転により回転ディスク６４が図５において反時計回り方向に回動される。
回転ディスク６４の回転により、コイン保留ボウル６８内のコインは撹拌され、姿勢が変化する。
【０００９】
前記姿勢変化によりコイン載置面６６に平面部が面接したコインは、係止ピン６７に係止される。
係止されたコインは、段差６５により周面を支えられつつ回転ディスク６４に連行される。
ナイフ６９に到達するとコインは、ナイフ６９によりすくい上げられる。
【００１０】
この後コインは、ナイフ６９の上縁に支えられつつ係止ピン６７によりコイン通路７５側に押し出される。
この途上でコインはローラ７３を押し上げて通過する。
ローラー７３の押し上げによりレバー７２は時計回り方向に回動されるので、図示しないカウントセンサにより検知される。
カウントセンサは、払い出しコイン数「１」を意味するカウント信号を出力する。
【００１１】
カウント信号を受けたゲーム機５０の制御回路は、払い出し所定数になったら払い出しを終了するため、モーター６３の回転を停止する。
ローラー７３を通過したコインは、コイン通路７５に押し出され、下向き傾斜も相まってコイン出口７６から払い出される。
払い出されたコインは、ダクトを通ってコイン払い出し口５２に達する。
【００１２】
ところで、最近このコインホッパ５１の払い出し中に払い出し口５２から手を挿入してコイン出口７６を塞ぐことにより不正を行う者がいる。
すなわち、出口７６がふさがれた場合、初めにコイン通路７５にコインが多数詰め込まれてコイン自身で栓をした様相になる。
【００１３】
このため、モーター６３が過負荷になって過電流が検出されて自動停止する。
あるいは、カウンタ７０からカウント信号が所定時間発信されないのでゲーム機５０の制御回路が異常処理を行ってモーター６３を停止する。
【００１４】
ゲーム者は、実際に払い出されたコイン数を誤魔化して払い出されるべきコイン数に満たないとしてクレームを付けることにより、余分にコインを入手する手口である。
【００１５】
【発明が解決しようとする課題】
本発明は、コインホッパのコイン出口を塞がれたことを早期に検知することにより、前記のような不正を防止することを目的とする。
【００１６】
【課題を解決するための手段】
この目的を達成するため本発明のコインホッパは、以下のように構成されている。
コインを１個ずつ区分けし、かつ、係止ピンを有する回転ディスクと、前記回転ディスクを回転駆動するモータと、前記回転ディスクからコインを受け取るナイフと、前記ナイフで受け取ったコインを誘導するコイン通路と、このコイン通路に配置したコインセンサと、コインセンサからの信号が所定時間継続したときに異常信号を出力する判別回路と、を有することを特徴とする。
【００１７】
この構成によればコイン通路にコインが詰まった場合、コインセンサからの検知信号が連続して出力される。
そして、この連続出力時間が正常ではあり得ない所定時間継続したことを判別回路により判別して異常信号を出力する。
この異常信号を活用して、音やランプにより警報を発して係員を呼んだり、回転ディスク駆動用のモーターを停止することができる。
これにより、異常状態でのコイン払い出し数を少なくできるので、不正防止に効果がある。
【００１８】
また、判別回路から異常信号を受けてモータの駆動を停止する制御回路を有することが好ましい。
回転ディスク回転用のモーターの駆動を停止することにより、異常状態でのコインの払い出し数を極めて少なくできるので、さらに不正防止効果がある。
【００１９】
【発明の実施の形態】
図１は実施例の概略斜視図。
図２は実施例の概略説明図。
図３は実施例の説明グラフ。
【００２０】
図面を参照して実施例を説明する。
従来技術と同一部には同一符号を付し、異なる構成を説明する。
ガイド板７４の丸形の孔１を穿孔してある。
この孔１に投光器及び受光器を向けて反射式のフォトセンサ２を固定してある。このフォトセンサ２がコインセンサである。
光電式の他、近接センサ等選択できる。
【００２１】
フォトセンサ２の胴部をバンド状の金具３で抱き、その金具３をビス４でコイン保留ボウル６８の側壁に固定してある。
フォトセンサ２の受光器の出力は、積分回路５に入力する。
積分回路５の出力は、比較回路６に入力する。
この比較回路６が判別回路である。
判別回路は、マイクロプロセッサとプログラムにより構成することもできる。
また、比較回路６には、比較値設定回路７の出力が入力する。
比較回路６の出力は、モーター６３のモーター制御回路８に入力する。
【００２２】
モーター制御回路８は、比較回路６から異常信号を入力したとき給電回路９の接点１０を解放する。
さらに、比較回路６の出力は、警報制御回路９に入力する。
警報制御回路１１は、警報ランプ１２の給電回路１３の接点１４を閉じる。
同時に、警報スピーカー１５の給電回路１６の接点１７を閉じる。
【００２３】
次にこの実施例の作用を説明する。
まず、コインが正常に順次送り出されている場合を説明する。
コインＣがフォトセンサ２の前方を通過するときに投光器からの光がコインＣにより反射されるので、この反射光を受光器で受光する。
フォトセンサ２は、受光すると電気信号を積分回路５に出力する。
積分回路５はこの受光の間積分する。
【００２４】
すなわち、図３のグラフに示すように電圧値が上昇する。
しかし、コインＣが通過した後、次のコインＣが通過するまでに放電して初期レベルに戻る。
したがって、正常にコインＣが払い出されている時は積分回路５の出力は図３の連続線Ａで示すように鋸歯状になる。
【００２５】
比較回路６は、積分回路５の出力を入力して比較値設定回路７で設定された閾値Ｇと比較する。
したがって、正常にコインＣが払い出されている時はこの閾値Ｇを超えることは無い。
【００２６】
よって、比較回路６は異常信号を出力しない。
次にコイン出口７６が塞がれた場合を説明する。
コイン出口７６が塞がれると、コインＣはコイン通路７５に滞留する。
コインＣが２、３枚滞留すると、コインＣはフォトセンサ２の前方継続して位置する。
【００２７】
このため、フォトセンサ２は電気信号を継続して出力するので、積分回路５の積分値は図３において鎖線Ｂで示すように継続して増加する。
これにより、ある時点で積分回路５の出力は閾値Ｇを超えるので、比較回路６は異常信号をモーター制御回路８及び警報制御回路１１に出力する。
【００２８】
モーター制御回路８は、異常信号を受けて接点１０を解放する。
これにより、モーター６３は給電を断たれて回転を停止するので、回転ディスク６４も回転を停止、コインＣの払い出しが停止される。
一方、警報制御回路１１は警報ランプ１２の給電回路１３の接点１４を閉じて警報ランプ１２を点灯する。
同時に、警報スピーカー１５の給電回路１６の接点１７を閉じるので、警報を発する。
【００２９】
これら警報ランプ１２又は警報スピーカ１２の警報により係員が駆けつけてトラブルに対処する。
なお、本発明の主旨の範囲内で変更が可能である。
すなわち、比較回路８からの異常信号によって、モーター６３の停止、警報ランプ１２の点灯、警報スピーカーの発音のうち何れか一つが作動するようにすれば良い。
また、この他の警報手段により警報を行うようにしてもよい。
【００３０】
コインＣ以外による反射光がフォトセンサ２に入るのを防止するため、孔１に相対するコイン通路７５の構成部品は、光を反射しないよう艶消しの黒色にするのがよい。
【００３１】
【図面の簡単な説明】
【図１】図１は実施例の概略斜視図。
【図２】図２は実施例の概略説明図。
【図３】図３は実施例の説明グラフ。
【図４】図４は従来例の説明用斜視図。
【図５】図５は従来例の概略斜視図。
【符号の説明】
Ｃ　　　　　　　コイン
２　　　　　　　コインセンサ
６　　　　　　　比較回路
８　　　　　　　モーター制御回路
６３　　　　　　モーター
６４　　　　　　回転ディスク
６７　　　　　　係止ピン
６９　　　　　　ナイフ
７５　　　　　　コイン通路
【図１】
2004133810.tif 000003
【図２】
2004133810.tif 000004
【図３】
2004133810.tif 000005
【図４】
2004133810.tif 000006
【図５】
2004133810.tif 000007